(57)【要約】【課題】位置決めを安全に行い、引き出しを双方向で正確に位置決めする双方向引き出し用位置決め装置を提供する。【解決手段】双方向引き出し用位置決め装置は、筐体、施錠装置２０、スライド溝２１、連動枠２２、ロック部材２３、係止部材２４及び連動部材４０を備える。筐体は、中空状のボックス型キャビネットであり、内部に上下に順次配列された複数の双方向引き出し１１が収容される。引き出し１１外側面の中央部には、位置決め凸柱１３が設けられ、筐体両側の内壁面の各引き出し１１の外側面に対応した間には、双方向スライドレール１２が取り付けられている。筐体の一内壁面には、第２の締結壁が突設される。施錠装置２０は、スライド溝２１、連動枠２２、ロック部材２３及び複数の係止部材２４を含む。スライド溝２１は、長尺状の凹溝を呈して筐体の内側壁中央部に垂直に固設される。【選択図】図２
0003193105.tif 000002
【実用新案登録請求の範囲】
【請求項１】
筐体、施錠装置、スライド溝、連動枠、ロック部材、係止部材及び連動部材を備える双方向引き出し用位置決め装置であって、
上記筐体は、中空状のボックス型キャビネットであり、内部に上下に順次配列された複数の双方向引き出しが収容され、引き出し外側面の中央部には、位置決め凸柱が設けられ、筐体両側の内壁面の各引き出しの外側面に対応した間には、双方向スライドレールが取り付けられ、筐体の一内壁面には、第２の締結壁が突設され、
上記施錠装置は、スライド溝、連動枠、ロック部材及び複数の係止部材を含み、
上記スライド溝は、長尺状の凹溝を呈して筐体の内側壁中央部に垂直に固設され、スライド溝の両側壁には、第１の締結壁がそれぞれ延設され、
上記連動枠は、下向きのコ字状の板体構造であり、摺動可能にスライド溝内に嵌合され、連動枠の両側頂縁には、嵌合部が突設され、嵌合部には、長尺状の第１の開口部が形成され、
上記ロック部材は、筐体の頂端側壁に挿設されて連動枠が垂直方向で摺動され、
上記係止部材は、連動枠上の適宜な箇所に順次固設され、係止部材は、位置決め凸柱に対応する位置決め凹溝を含み、位置決め凹溝は、互いに平行に形成された２つの第１の縁部と、各第１の縁部に垂直に接続された第２の縁部とにより形成され、各第１の縁部は、係止部材に沿って縦向きに延び、第２の縁部は、係止部材に沿って横向きに延び、位置決め凹溝の両側には、第２のスライドガイド斜面及び第１のスライドガイド斜面が順次対称的に延び、引き出しが左右に往復変位すると、位置決め凸柱により第１のスライドガイド斜面及び第２のスライドガイド斜面に沿って摺動し、位置決め凹溝内に対応するように進入され、位置決め凹溝の左右両端側の第１の縁部間に係止され、
上記連動部材は、支持フレーム及びリンクロッドを含み、
上記支持フレームは、折り曲げられ、互いに垂直になるように形成されて互いに隣接した第１の側壁と第２の側壁とを有し、第１の側壁には、第２の開口部が形成され、第２の側壁は、筐体の第２の締結壁に螺着され、
上記リンクロッドは、第１の端部及び第２の端部を有し、第１の端部には、傾斜部が斜め下方向へ延設され、傾斜部の末端部には、嵌合バンプが延設され、嵌合部の第１の開口部には連動枠が嵌合され、第２の端部は、筐体上に嵌合されている上、筐体から露出された押ボタンを有し、リンクロッドの中段部には、第２の端部から離れた箇所に第１の当接凸柱が設けられ、第１の当接凸柱は、第１の頂平面を有し、リンクロッドにばねが嵌合された後、支持フレームの第１の側壁の第２の開口部には、リンクロッドが嵌合され、ばねにより第１の側壁と第１の頂平面との間に位置拘束されることを特徴とする双方向引き出し用位置決め装置。
【請求項２】
前記連動枠の一側頂端には、第１のフック部が固設され、
上記第１のフック部は、第１のフック孔を有することを特徴とする請求項１に記載の双方向引き出し用位置決め装置。
【請求項３】
前記スライド溝の一側の第１のフック部に対応した箇所には、第２のフック部が延設され、
上記第２のフック部は、第２のフック孔を有することを特徴とする請求項２に記載の双方向引き出し用位置決め装置。
【請求項４】
前記上下両端が第１のフック孔及び第２のフック孔にそれぞれ固定され、上記スライド溝と連動枠との間に付勢力を発生させる弾性部材をさらに備えることを特徴とする請求項３に記載の双方向引き出し用位置決め装置。
【請求項５】
前記連動枠の背面頂端近くには、折り曲げ状のストッパ部が延設されていることを特徴とする請求項１に記載の双方向引き出し用位置決め装置。
【請求項６】
前記ロック部材は、外端部及び係合部を含み、
上記外端部は、筐体の外側壁に螺着され、ユーザは鍵によりロック部材を回転させ、外端部の他端には、係合部が設けられ、鍵によりロック部材が回転されると、係合部が連動枠のストッパ部の頂面に当接され、連動枠の垂直方向への摺動が止められることを特徴とする請求項５に記載の双方向引き出し用位置決め装置。
【請求項７】
前記複数の長片状の位置決め部材をさらに備え、
上記各位置決め部材の両端側は、スライド溝の第１の締結壁上に螺着され、連動枠のスライド溝内での摺動方向を上下方向のみに制限することを特徴とする請求項１に記載の双方向引き出し用位置決め装置。
【請求項８】
前記係止部材の両側には、係合端が突設され、
上記各係止部材は、各係合端により連動枠上に順次取り付けられていることを特徴とする請求項１に記載の双方向引き出し用位置決め装置。
【請求項９】
前記リンクロッド中段部の第２の端部に隣接した箇所には、第２の当接凸柱が設けられ、
上記第２の当接凸柱は、第２の頂平面を有することを特徴とする請求項１に記載の双方向引き出し用位置決め装置。
【考案の詳細な説明】
【技術分野】
【０００１】
本考案は、引き出し用連鎖装置に関し、特に、双方向へ牽引して使用する引き出し付きキャビネットと、そのロック制御構造に関する。
【背景技術】
【０００２】
一般の資料用キャビネット、書斎用デスクに設けられたキャビネットなどは、上下に配列されて分層設置された複数の引き出しを有する。引き出しには、物又は書類が収納され、引き出しの数には限界があり、引き出しを開けた状態を制御し、キャビネットに設けられたシリンダー錠により各引き出し間の施錠箇所が接続され、各引き出しは施錠可能となっているのが一般的である。
【考案の概要】
【考案が解決しようとする課題】
【０００３】
本考案の目的は、位置決めを安全に行い、引き出しを双方向で正確に位置決めする双方向引き出し用位置決め装置を提供することにある。
【図面の簡単な説明】
【０００４】
【図１】本考案の一実施形態に係る双方向引き出し用位置決め装置を示す斜視図である。
【図２】本考案の一実施形態に係る双方向引き出し用位置決め装置を示す分解斜視図である。
【図３】図１の施錠装置及び連動部材を示す斜視図である。
【図３Ａ】図３の係合部材を示す正面図である。
【図４】キャビネットの外側から見たときの状態を示す図３のロック位置決め装置を示す側面斜視図である。
【図５】図４の部分拡大図である。
【図６】引き出しが閉まった状態を示す模式図である。
【図７】ユーザが連動部材を押圧し、施錠装置を押し動かし、引き出しが未だ位置決めされていない状態を示す模式図である。
【図８】引き出しが引き出されてロックされていない状態を示す模式図である。
【考案を実施するための形態】
【０００５】
図１〜図５を参照する。図１〜図５に示すように、本考案の一実施形態に係る双方向引き出し用位置決め装置は、少なくとも筐体１０、施錠装置２０及び連動部材４０から構成される。
【０００６】
筐体１０は、中空状のボックス型キャビネットであり、内部に上下に順次配列された複数の双方向引き出し１１が収容されている。各引き出し１１の外側面の中央部には、位置決め凸柱１３が設けられ、筐体１０の両側の内壁面には、それぞれ各引き出し１１の外側面間にそれぞれ対応し、それぞれ連動する双方向スライドレール１２が取り付けられ、各引き出し１１が筐体１０内で摺動され、引き出し１１の両端には、各引き出し１１を左右両方向へ引っ張るために用いるハンドル１１１がそれぞれ設けられ（この技術は従来技術であるため、ここでは繰り返し述べない）、筐体１０の内壁面１０１には、第２の締結壁１０２が突設されている。
【０００７】
施錠装置２０は、スライド溝２１、連動枠２２、ロック部材２３及び複数の係止部材２４を含む。
【０００８】
スライド溝２１は、長尺状の凹溝を呈して筐体１０の内側壁中央部に垂直に固設され、スライド溝２１の両側壁には、第１の締結壁２１１がそれぞれ延設されている。また、スライド溝２１の一側頂端には、第２のフック部２１２が固設されている。第２のフック部２１２は、第２のフック孔２１２１を有する。
【０００９】
連動枠２２は、下向きのコ字状の板体構造であり、摺動してスライド溝２１内に嵌合され、複数の長片状の位置決め部材２５は、連動枠２２に取り付けられてスライド溝２１内に位置決めされる。即ち、各位置決め部材２５の両端側には、スライド溝２１の第１の締結壁２１１上に螺着され、連動枠２２がスライド溝２１内で上下方向のみに摺動され、連動枠２２の背面頂端近くには、折り曲げ状のストッパ部２２２が延設され、連動枠２２の一側頂端には、第１のフック部２２３が固設されている。第１のフック部２２３は、第１のフック孔２２３１を有する。第１のフック孔２２３１と第２のフック孔２１２１との間には、弾性部材２６が取り付けられている。弾性部材２６は、コイルスプリングでもよい。弾性部材２６により連動枠２２とスライド溝２１との間に付勢力を付与する。特に、連動枠２２の両側頂縁には、嵌合部２２４が突設されている。嵌合部２２４には、長尺状の第１の開口部２２４１が形成されている。
【００１０】
ロック部材２３は、筐体１０の頂端側壁に挿設され、連動枠２２を垂直方向で摺動させ、それは外端部２３１及び係合部２３２を含む。外端部２３１は、筐体１０の外側壁に螺着され、ユーザは鍵３０によりロック部材２３を回転させる。外端部２３１の他端には、係合部２３２が取り付けられ、鍵３０がロック部材２３を回転させると、係合部２３２が回転して、連動枠２２のストッパ部２２２の頂面に当接され（図４及び図５参照）、連動枠２２を上方へ摺動して施錠することができる。
【００１１】
係止部材２４は、連動枠２２上の適宜な箇所に順次固設されている。係止部材２４は、位置決め凸柱１３に対応する位置決め凹溝２４１を含む。位置決め凹溝２４１は、互いに平行に形成された２つの第１の縁部２４１１と、各第１の縁部２４１１に接続された第２の縁部２４１２とにより形成されている。各第１の縁部２４１１は、係止部材２４に沿って縦向きに延びている。第２の縁部２４１２は、係止部材２４に沿って横向きに延びる。位置決め凹溝２４１の両側には、第２のスライドガイド斜面２４４及び第１のスライドガイド斜面２４２が順次対称的に延び、引き出し１１が左右に往復変位すると、位置決め凸柱１３により第１のスライドガイド斜面２４２及び第２のスライドガイド斜面２４４に沿って摺動し、連動枠２２を案内して上下に摺動させ、位置決め凹溝２４１内に対応するように進入され、位置決め凸柱１３により位置決め凹溝２４１の左右両端側の第１の縁部２４１１間に係止され、双方向引き出しの位置決めを正確に行うことができる。また、係止部材２４の両側には、係合端２４３が突設されている。各係止部材２４は、各係合端２４３を利用し、連動枠２２上の適宜な箇所に取り付けられている（図３参照）。
【００１２】
連動部材４０は、支持フレーム４２及びリンクロッド４１を含む。
【００１３】
支持フレーム４２は、折り曲げられ、互いに垂直になるように形成された互いに隣接した第１の側壁４２１と第２の側壁４２２とを有する。第１の側壁４２１には、第２の開口部４２１１が形成されている。第２の側壁４２２は、筐体１０の第２の締結壁１０２に螺着されている。
【００１４】
リンクロッド４１は、第１の端部４１１及び第２の端部４１２を有する。第１の端部４１１には、傾斜部４１１１が斜め下方向へ延設されている。傾斜部４１１１の末端部には、嵌合バンプ４１１２が延設され、嵌合部２２４の第１の開口部２２４１に連動枠２２が嵌合されている。第２の端部４１２は、筐体１０上に嵌合されている上、筐体１０から露出された押ボタン４１５を有する。リンクロッド４１の中段部には、第２の端部４１２から離れた箇所に第１の当接凸柱４１３が設けられている。第１の当接凸柱４１３は、第１の頂平面４１３１を有する。リンクロッド４１にばね４３が嵌合された後、支持フレーム４２の第１の側壁４２１の第２の開口部４２１１には、リンクロッド４１が嵌合され、ばね４３により第１の側壁４２１と第１の頂平面４１３１との間に位置拘束される。リンクロッド４１の中段部の第２の端部４１２に隣接した箇所には、第２の当接凸柱４１４が設けられている。第２の当接凸柱４１４は、筐体１０上に当接される第２の頂平面４１４１を有し、リンクロッド４１が筐体１０内に位置拘束され、リンクロッド４１の押ボタン４１５を押圧すると施錠装置２０が連動し、短時間に安全かつ容易に位置決めを行うことができる。
【００１５】
図６〜図８を参照する。本考案の一実施形態に係る双方向引き出し用位置決め装置を実際に使用する際、図６は、引き出し１１が閉じた状態を示し、ユーザが引き出し１１を開けるとき、まず、リンクロッド４１の押ボタン４１５を押圧し、リンクロッド４１の傾斜部４１１１が連動枠２２の第１の開口部２２４１の内縁に沿って内方へ摺動し、係止部材２４及び連動枠２２を押圧して上昇作動を行い、引き出し１１の位置決め凸柱１３が位置決め凹溝２４１の第１の縁部２４１１から外れた後（図７参照）、外方へ牽引されて引き出し１１が開かれる（図８参照）。引き出し１１が筐体１０内に完全に押し入れられずに、ロック部材２３の箇所がロックされていない状態のとき、引き出し１１へ力を加えて押し入れて位置決めし、引き出し１１の位置決め凸柱１３は、係止部材２４の第１のスライドガイド斜面２４２構造により、係止部材２４をスムーズに押し、係止部材２４及び連動枠２２を連動して上昇させ、ユーザが引き出しを閉じるときに加える力が大きすぎる場合、係止部材２４の第２のスライドガイド斜面２４４及び第１の縁部２４１１の構造により、位置決め凸柱１３が位置決め凹溝２４１内に正確に案内され、位置決め凸柱１３が係止部材２４に正確に嵌合されて位置決めを正確に行うことができる。
【符号の説明】
【００１６】
１０  筐体
１１  引き出し
１２  スライドレール
１３  位置決め凸柱
２０  施錠装置
２１  スライド溝
２２  連動枠
２３  ロック部材
２４  係止部材
２５  位置決め部材
２６  弾性部材
３０  鍵
４０  連動部材
４１  リンクロッド
４２  支持フレーム
４３  ばね
１０１  内壁面
１０２  第２の締結壁
１１１  ハンドル
２１１  第１の締結壁
２１２  第２のフック部
２２２  ストッパ部
２２３  第１のフック部
２２４  嵌合部
２３１  外端部
２３２  係合部
２４１  位置決め凹溝
２４２  第１のスライドガイド斜面
２４３  係合端
２４４  第２のスライドガイド斜面
４１１  第１の端部
４１２  第２の端部
４１３  第１の当接凸柱
４１４  第２の当接凸柱
４１５  押ボタン
４２１  第１の側壁
４２２  第２の側壁
２１２１  第２のフック孔
２２３１  第１のフック孔
２２４１  第１の開口部
２４１１  第１の縁部
２４１２  第２の縁部
４１１１  傾斜部
４１１２  嵌合バンプ
４１３１  第１の頂平面
４１４１  第２の頂平面
４２１１  第２の開口部
【図１】
0003193105.tif 000003
【図２】
0003193105.tif 000004
【図３】
0003193105.tif 000005
【図３Ａ】
0003193105.tif 000006
【図４】
0003193105.tif 000007
【図５】
0003193105.tif 000008
【図６】
0003193105.tif 000009
【図７】
0003193105.tif 000010
【図８】
0003193105.tif 000011